(57)【要約】【課題】本発明は、ユーザが、電子機器の操作後に、簡単に肩から下げた状態で持ち運ぶことを可能とする電子機器用ケースを提供することを目的とする。【解決手段】本発明に係る電子機器用ケースは、基部の裏面側に設けられた、電子機器を収容するための機器収容部と、カバー部の表面側の一方の端部に設けられ、肩紐の一端を取り付けるための第１取り付け部と、基部の表面側の一方の端部とは反対側の他方の端部に設けられ、肩紐の他端を取り付けるための第２取り付け部と、を備え、肩紐がつり上げられた場合、第１取り付け部及び第２取り付け部が、前記肩紐のつり上げにより生じる引張力により、第２折り曲げ部が折り曲がり、カバー部が機器収容部に収容された電子機器を覆う方向に移動する。【選択図】図１
2018114243.tif 000002
【特許請求の範囲】
【請求項１】
電子機器を収容するための電子機器用ケースであって、
かぶせ部と、第１折り曲げ部を介して前記かぶせ部と隣接するカバー部と、第２折り曲げ部を介して前記カバー部と隣接する基部とを有するケース本体と、
前記基部の裏面側に設けられた、前記電子機器を収容するための機器収容部と、
前記カバー部の表面側の一方の端部に設けられ、肩紐の一端を取り付けるための第１取り付け部と、
前記基部の表面側の前記一方の端部とは反対側の他方の端部に設けられ、前記肩紐の他端を取り付けるための第２取り付け部と、を備え、
前記肩紐がつり上げられた場合、前記第１取り付け部及び前記第２取り付け部が、前記肩紐のつり上げにより生じる引張力により、前記第２折り曲げ部が折り曲がり、前記カバー部が前記機器収容部に収容された前記電子機器を覆う方向に移動する、
ことを特徴とする電子機器用ケース。
【請求項２】
前記カバー部が前記機器収容部に収容された前記電子機器を覆う方向に移動した場合、前記第１折り曲げ部が折り曲がり、前記かぶせ部が前記基部の前記表面側に移動する、請求項１に記載の電子機器用ケース。
【請求項３】
前記基部は、前記機器収容部に収容された前記電子機器の撮像カメラに対応する位置にカメラ用開口部を有する、請求項２に記載の電子機器用ケース。
【請求項４】
前記第１折り曲げ部が折り曲がることにより、前記かぶせ部が、前記基部の前記カメラ用開口部を覆う、請求項３に記載の電子機器用ケース。
【請求項５】
前記かぶせ部は磁石を有し、
前記基部は磁性体を有し、
前記第１折り曲げ部が折り曲がり、前記かぶせ部が前記基部の前記表面側に移動した場合、前記かぶせ部の前記磁石が前記基部の前記磁性体を吸着する、請求項２〜４のいずれか一項に記載の電子機器用ケース。
【請求項６】
前記カバー部は、紙幣、硬貨、又は物品等を収容する物品収容部を前記表面側に備える、請求項１〜５のいずれか一項に記載の電子機器用ケース。
【発明の詳細な説明】
【技術分野】
【０００１】
本発明は、電子機器を収容するための電子機器用ケースに関する。
【背景技術】
【０００２】
従来から、ユーザは、多機能携帯電話（所謂「スマートフォン」）等の電子機器を携帯する際に、電子機器を保護するため、電子機器を収容する電子機器用ケースを用いることがあった。近年では、電子機器用ケースに財布機能が付加された財布型の電子機器用ケースや、肩紐が取り付けられたポシェット型の電子機器用ケースが知られている。
【０００３】
例えば、特許文献１には、スマートフォンを収容して持ち運ぶためのポシェット型の小物入れが開示されている。この小物入れには、スマートフォンを収容可能なポケットが設けられ、また、ポケットには、スマートフォンのタッチパネルを覆う透明シート部が含まれる。これにより、この小物入れに収容されるスマートフォンの前面にタッチパネルが備えられる場合、ユーザは、スマートフォンがポケットに収容された状態で、透明シート部越しにタッチパネルの操作を行うことができる。また、ユーザは、小物入れを折り畳み、肩紐を小物入れに取り付けて、小物入れを持ち運ぶことができる。
【先行技術文献】
【特許文献】
【０００４】
【特許文献１】登録実用新案第３１９８８１２号公報
【発明の概要】
【発明が解決しようとする課題】
【０００５】
しかしながら、特許文献１の小物入れでは、小物入れを肩から下げた時に小物入れが自然に折り曲げられた状態とならないため、ユーザは、スマートフォンの使用後に、折り目に沿って小物入れを注意深く折り曲げて面ファスナ等で留める必要があった。
【０００６】
本発明は、このような従来の課題を解決すべくなされたものであり、ユーザが、電子機器の操作後に、簡単に肩から下げた状態で持ち運ぶことが可能となる電子機器用ケースを提供することを目的とする。
【課題を解決するための手段】
【０００７】
本発明に係る電子機器用ケースは、電子機器を収容するための電子機器用ケースであって、かぶせ部と、第１折り曲げ部を介してかぶせ部と隣接するカバー部と、第２折り曲げ部を介してカバー部と隣接する基部とを有するケース本体と、基部の裏面側に設けられた、電子機器を収容するための機器収容部と、カバー部の表面側の一方の端部に設けられ、肩紐の一端を取り付けるための第１取り付け部と、基部の表面側の一方の端部とは反対側の他方の端部に設けられ、肩紐の他端を取り付けるための第２取り付け部と、を備え、肩紐がつり上げられた場合、第１取り付け部及び第２取り付け部が、肩紐のつり上げにより生じる引張力により、第２折り曲げ部が折り曲がり、カバー部が機器収容部に収容された電子機器を覆う方向に移動する。
【０００８】
また、本発明に係る電子機器用ケースにおいて、カバー部が機器収容部に収容された電子機器を覆う方向に移動した場合、第１折り曲げ部が折り曲がり、かぶせ部が基部の表面側に移動することが好ましい。
【０００９】
また、本発明に係る電子機器用ケースにおいて、基部は、機器収容部に収容された電子機器の撮像カメラに対応する位置にカメラ用開口部を有することが好ましい。
【００１０】
また、本発明に係る電子機器用ケースにおいて、第１折り曲げ部が折り曲がることにより、かぶせ部が、基部のカメラ用開口部を覆うことが好ましい。
【００１１】
また、本発明に係る電子機器用ケースにおいて、かぶせ部は磁石を有し、基部は磁性体を有し、第１折り曲げ部が折り曲がり、かぶせ部が基部の表面側に移動した場合、かぶせ部の磁石が基部の磁性体を吸着することが好ましい。
【００１２】
また、本発明に係る電子機器用ケースにおいて、カバー部は、紙幣、硬貨、又は物品等を収容する物品収容部を表面側に備えることが好ましい。
【発明の効果】
【００１３】
本発明に係る電子機器用ケースによって、ユーザの電子機器の操作後に、簡単に肩から下げた状態で持ち運ぶことが可能となる。
【図面の簡単な説明】
【００１４】
【図１】電子機器用ケース１の裏面側から見た斜視図の一例を示す図である。
【図２】電子機器用ケース１の表面側から見た斜視図の一例を示す図である。
【図３】電子機器を収容した機器収容部３の斜視図の一例を示す図である。
【図４】電子機器用ケース１を折り畳む方法の一例を示す図である。
【図５】電子機器用ケース１を折り畳む方法の一例を示す図である。
【図６】ポシェットとして使用する電子機器用ケース１の斜視図の一例を示す図である。
【図７】ポシェットとして使用する電子機器用ケース１０の斜視図の一例を示す図である。
【発明を実施するための形態】
【００１５】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１６】
（電子機器用ケース１の構成）
図１は、本実施形態の電子機器用ケース１の斜視図の一例を示す図である。図１に示される斜視図は、電子機器用ケース１を展開した場合において、裏面側から見た斜視図である。なお、電子機器用ケース１の裏面は、後述する図６に示されるように、電子機器用ケース１が折り畳まれてポシェットとして使用される場合において、隠れて見えなくなる面である。
【００１７】
電子機器用ケース１に収容される電子機器は、例えば、多機能携帯電話（所謂「スマートフォン」）を想定するが、少なくともディスプレイ等の表示装置を備えていれば、どのような電子機器でもよい。
【００１８】
図１に示されるように、電子機器用ケース１は、ケース本体２、機器収容部３、物品収容部４、ケーブル保持部５、第１取り付け部６ａ及び第２取り付け部６ｂ等を備える。
【００１９】
ケース本体２は、可撓性の１枚のシート状に形成されており、例えば、所定厚さ（例えば、５ｍｍ）の、天然皮革（牛革、蛇革等）若しくは合成皮革（樹脂樹脂等）等の革類、不織布等の布類、又は軟質樹脂等で形成される。なお、ケース本体２は、ユーザが折り曲げることができる程度の硬さであれば、どのような素材で形成されてもよい。
【００２０】
ケース本体２は、かぶせ部２１、第１折り曲げ部２２、カバー部２３、第２折り曲げ部２４及び基部２５を有する。なお、かぶせ部２１、第１折り曲げ部２２、カバー部２３、第２折り曲げ部２４及び基部２５は、一体に形成されているが、かぶせ部２１、第１折り曲げ部２２、カバー部２３、第２折り曲げ部２４及び基部２５のそれぞれが、異なるシート体で形成されて接着剤等で接合されてもよい。
【００２１】
図１に示されるように、かぶせ部２１、第１折り曲げ部２２、カバー部２３、第２折り曲げ部２４及び基部２５は、長手方向に隣接して形成される。すなわち、かぶせ部２１は、第１折り曲げ部２２を介してカバー部２３と長手方向に隣接し、カバー部２３は、第２折り曲げ部２４を介して基部２５と長手方向に隣接する。なお、かぶせ部２１と第１折り曲げ部２２との第１境界線Ｌ１、第１折り曲げ部２２とカバー部２３との第２境界線Ｌ２、カバー部２３と第２折り曲げ部２４との第３境界線Ｌ３、第２折り曲げ部２４と基部２５との第４境界線Ｌ４は、長手方向と略垂直な短手方向に対して並行である。なお、長手方向は、電子機器用ケース１が折り畳まれてポシェットとして使用される場合における上下方向である。また、短手方向は、電子機器用ケース１が折り畳まれてポシェットとして使用される場合における左右方向である。
【００２２】
機器収容部３は、電子機器を収容するためのホルダーであり、弾性のある不織布等の布類又は軟質樹脂等で形成され、基部２５の裏面側に設けられる。なお、機器収容部３は、不織布等の布類又は軟質樹脂等で形成されるものに限らない。例えば、機器収容部３は、プラスチック、シリコン等の硬質樹脂で形成されてもよく、また、機器収容部３は、電子機器を保持する機能を有するものであれば、どのような素材で形成されてもよい。機器収容部３は、電子機器の外形形状を把持することが可能であり、電子機器は、当該電子機器の表示装置が見えるように、機器収容部３に収容される。
【００２３】
また、機器収容部３には、電子機器の表示装置に対応する箇所に、表示装置用開口部３１が設けられている。これにより、ユーザは、電子機器を機器収容部３から取り出すことなく、電子機器の表示装置を閲覧することができる。また、電子機器の表示装置が、位置入力装置と連動するタッチパネルとして機能する場合、ユーザは、電子機器を機器収容部３から取り出すことなく、タッチパネルを操作することができる。
【００２４】
物品収容部４は、紙幣、硬貨、又は物品等を収容する小物入れであり、カバー部２３の表面側に設けられる。なお、物品収容部４は、ケース本体２と同一素材で形成されるが、物品収容部４の素材は、どのようなものであってもよい。
【００２５】
ケーブル保持部５は、電子機器に使用するイヤホン等のケーブルを保持するためのホルダーであり、基部２５の裏面側に設けられる。
【００２６】
第１取り付け部６ａは、肩紐Ｓの一端を電子機器用ケース１に取り付けるためのホック等であり、カバー部２３の表面側に設けられる。また、第２取り付け部６ｂは、肩紐Ｓの他端を電子機器用ケース１に取り付けるためのホック等であり、基部２５の表面側に設けられる。もっとも、第１取り付け部６ａを物品収容部４に接合し、電子機器用ケース１を形成するようにしてもよい。
【００２７】
なお、図１に示されるように、ケース本体２の基部２５は、機器収容部３に収容された電子機器の撮像カメラに対応する位置にカメラ用開口部２５１を有する。なお、カメラ用開口部２５１は、電子機器のノイズキャンセラー用の集音マイクに対応する位置を含むように設けられてもよい。また、撮像カメラに対応するカメラ用開口部２５１とノイズキャンセラー用の集音マイクに対応する集音マイク用開口部（図示せず）とがそれぞれ別に設けられてもよい。
【００２８】
また、かぶせ部２１には磁石２１１が埋め込まれ、且つ、基部２５には磁性体２５２が埋め込まれている。磁石２１１は、電子機器用ケース１が折り畳まれてポシェットとして使用される場合において、磁性体２５２に対向する位置に配置される。なお、磁性体２５２は、例えば、磁石２１１によって吸着される鉄板等であるが、磁石２１１の磁力によって吸着される素材であれば、どのような素材で形成された磁性体であってもよい。
【００２９】
図２は、本実施形態の電子機器用ケース１の斜視図の一例を示す図である。図２に示される斜視図は、電子機器用ケース１を展開した場合において、表面側から見た斜視図である。なお、電子機器用ケース１の表面は、電子機器用ケース１が折り畳まれてポシェットとして使用される場合において、外観が表出される面である。
【００３０】
図２に示されるように、ケース本体２は、長手方向に沿って端部２ａ及び２ｂを有する。なお、端部２ａ及び２ｂは、電子機器用ケース１が折り畳まれてポシェットとして使用される場合における左右の端部である。
【００３１】
第１取り付け部６ａは、第１折り曲げ部２２とカバー部２３との第２境界線Ｌ２付近の端部２ａに設けられる。また、第２取り付け部６ｂは、基部２５における、端部２ａと反対側の端部２ｂに設けられる。なお、端部２ａは、一方の端部の一例であり、端部２ｂは、他方の端部の一例である。また、第１取り付け部６ａが、端部２ｂに設けられ、且つ、第２取り付け部６ｂが、端部２ａに設けられてもよい。
【００３２】
図３は、電子機器を収容した機器収容部３の斜視図の一例を示す図である。
【００３３】
機器収容部３は、表示装置用開口部３１及び蓋部３２等を有する。また、電子機器は、当該電子機器の表示装置の後面が、基部２５の表面側と対向するように機器収容部３に収容される。なお、蓋部３２だけが、基部２５の裏面側と接着していないため、ユーザは、蓋部３２をめくることで、電子機器をスライド方向Ｍ１から挿入し且つ抜き取ることができる。なお、電子機器が、表示装置用開口部３１から挿入できるようにするため、表示装置用開口部３１を、電子機器が挿入可能な形状に形成してもよい。この場合、蓋部３２と基部２５の裏面側とを接着させてもよい。
【００３４】
また、表示装置用開口部３１は、電子機器が機器収容部３に収容された場合において、電子機器の表示装置に対応する箇所に設けられている。これにより、ユーザは、電子機器を機器収容部３に収容した状態で、表示装置用開口部３１から表示装置を閲覧することができる。
【００３５】
なお、電子機器に、電話通話用の受話口及び送話口が設けられている場合、機器収容部３は、受話口を開口する受話口開口部（図示せず）及び送話口を開口する送話口開口部（図示せず）を設けてもよい。また、表示装置用開口部３１、受話口開口部及び送話口開口部のうちの少なくとも二つを同一の開口部で構成してもよい。
【００３６】
（電子機器用ケース１の使用方法）
図４及び図５は、電子機器用ケース１を折り畳む方法の一例を示す図である。
【００３７】
電子機器用ケース１のユーザが電子機器用ケース１をポシェットとして使用するために肩紐Ｓをつり上げた場合、肩紐Ｓは上方Ｍ２に引っ張られる。肩紐Ｓが上方Ｍ２に引っ張られることに伴い、肩紐Ｓの一端が取り付けられた第１取り付け部６ａ及び肩紐Ｓの他端が取り付けられた第２取り付け部６ｂに対して、上方Ｍ２への引張力が生じる。
【００３８】
図１に示されるように、基部２５には電子機器が収容された機器収容部３が備えられ、且つ、カバー部２３には物品収容部４が設けられているため、基部２５及びカバー部２３は、折れ曲がり難い構成となっている。したがって、第１取り付け部６ａ及び第２取り付け部６ｂの上方Ｍ２への引張力が作用した場合、カバー部２３、第２折り曲げ部２４及び基部２５の重力による荷重が、第２折り曲げ部２４全体に掛かるため、第２折り曲げ部２４が裏面側に折れ曲がり、カバー部２３は閉じ方向Ｍ３に移動する。
【００３９】
これにより、カバー部２３は、機器収容部３に収容された電子機器を覆う方向（閉じ方向Ｍ３）に移動することが可能になる。そして、カバー部２３が、基部２５に移動した後、ユーザによるかぶせ部２１への押下げ力又はかぶせ部２１の重力による荷重に応じて、第１折り曲げ部２２が折れ曲がり、かぶせ部２１が基部２５の表面側に移動する。
【００４０】
かぶせ部２１が基部２５の表面側に移動した場合、かぶせ部２１に埋め込まれた磁石２１１と基部２５に埋め込まれた磁性体２５２とが対向するため、かぶせ部２１が基部２５の表面側から所定距離近づくと、かぶせ部２１の磁石２１１が基部２５の磁性体２５２を吸着し、かぶせ部２１と基部２５とが磁着する。なお、所定距離は、磁石２１１による磁性体２５２への吸着力が働く距離である。
【００４１】
このように、ユーザは、電子機器用ケース１に収容された電子機器の操作後に、肩紐Ｓをつり上げるだけで、簡単に、電子機器用ケース１を簡単に折り畳むことが可能となる。
【００４２】
図６は、ポシェットとして使用する電子機器用ケース１の斜視図の一例を示す図である。
【００４３】
図６に示されるように、電子機器用ケース１は、第１折り曲げ部２２及び第２折り曲げ部２４が裏面側に折れ曲がり、且つ、かぶせ部２１が基部２５に磁着することで、ポシェットとして使用される。
【００４４】
かぶせ部２１は、かぶせ部２１と基部２５とが磁着した際に、基部２５のカメラ用開口部２５１を覆うことができる大きさを有している。これにより、ユーザは、電子機器を機器収容部３から取り出すことなく、電子機器の撮像カメラによって撮影できるとともに、電子機器用ケース１をポシェットとして使用する場合には、ポシェットの前胴から撮像カメラが露出することを防止することが可能となる。
【００４５】
以上、詳述したとおり、電子機器用ケース１は、肩紐Ｓがつり上げられた場合、第１取り付け部６ａ及び第２取り付け部６ｂが、上方Ｍ２に引っ張られることにより、第２折り曲げ部２４が折り曲がり、カバー部２３が機器収容部３に収容された電子機器を覆う方向（閉じ方向Ｍ３）に移動する。また、第１折り曲げ部２２が折り曲がることにより、かぶせ部２１が基部２５の表面側に移動する。これにより、ユーザは、電子機器用ケース１に収容された電子機器の操作後に、簡単に、当該電子機器用ケース１を肩から下げて持ち運ぶことが可能となる。
【００４６】
また、電子機器用ケース１をポシェットとして使用する際に、電子機器の表示装置はカバー部２３によって保護される。したがって、機器収容部３に収容された電子機器の表示装置が位置入力装置と連動するタッチパネルとして機能する場合であっても、表示装置用開口部３１に透明シート等の保護部材を設ける必要がない。これにより、電子機器用ケース１は、タッチパネルの操作性を損なうことがなく、ユーザの利便性の低下を防止することが可能となる。
【００４７】
また、第２折り曲げ部２４は、ユーザが折り曲げることができる程度の硬さであるため、基部２５の表面側とカバー部２３の表面側（物品収容部４の正面側）とが対向するように、第２折り曲げ部２４を折り曲げることができる。これにより、ユーザは、電子機器の通話機能を使用する場合等において、片手で電子機器用ケース１を保持することができ、ユーザの利便性の低下を防止することが可能となる。
【００４８】
（変形例１）
なお、かぶせ部２１は、かぶせ部２１と基部２５とが磁着した際に、基部２５のカメラ用開口部２５１を覆わない形状であってもよい。図７は、ポシェットとして使用する電子機器用ケース１０の他の実施例の斜視図の一例を示す図である。図７において、図６に示す電子機器用ケース１と同じ構成については同じ符号を付し、その説明を省略する。
【００４９】
図７に示されるように、かぶせ部２１０は、かぶせ部２１０と基部２５とが磁着した際に、基部２５のカメラ用開口部２５１を覆わない形状である。これにより、例えば、撮像カメラに近傍にノイズキャンセラー用の集音マイクが設置され且つカメラ用開口部２５１によってノイズキャンセラー用の集音マイクが覆われない場合において、ユーザが、急な着呼によって、折り畳まれた電子機器用ケース１０を展開して電子機器の通話機能を使用した際に、ノイズキャンセルの機能が損なわれずに通話を行うことが可能になる。
【００５０】
また、図７に示される電子機器用ケース１０において、カメラ用開口部２５１にメッシュ素材の編地等を設けてもよい。これにより、電子機器用ケース１をポシェットとして使用する場合に、ポシェットの前胴から撮像カメラが露出することを防止することが可能となる。
【００５１】
（変形例２）
また、第２取り付け部６ｂは、電子機器用ケース１が折り畳まれてポシェットとして使用される場合における、基部２５の上端部に設けられてもよい。すなわち、第２取り付け部６ｂは、長手方向における第２折り曲げ部２４と反対の方向の端部に設けられてもよい。これにより、第１取り付け部６ａの取り付け位置及び第２取り付け部６ｂの取り付け位置は、カバー部２３、第２折り曲げ部２４及び基部２５を含む形状の対角線上に位置する。したがって、第１取り付け部６ａ及び第２取り付け部６ｂの上方Ｍ２への引張力が作用した場合、カバー部２３及び基部２５の長手方向の長さが略同一であるため、カバー部２３、第２折り曲げ部２４及び基部２５に対する両引張力の重心が、第２折り曲げ部２４に含まれる。よって、第２折り曲げ部２４が折れ曲がる力（閉じ方向Ｍ３への移動力）がより大きくなるため、ユーザがカバー部を移動させる力がより小さくなる。なお、この場合、かぶせ部２１は、第２取り付け部６ｂを覆わない形状に形成される。
【００５２】
（変形例３）
また、ケース本体２の表面側と裏面側とが、異なる素材で形成されてもよい。例えば、ケース本体２の表面側は、革類で形成され、ケース本体２の裏面側は、布類で形成されてもよい。
【００５３】
（変形例４）
また、肩紐Ｓは、肩から下げる長さよりも短い、ユーザの手によって把持されて持ち運ぶための持ち手タイプのストラップであってもよい。
【００５４】
当業者は、本発明の精神及び範囲から外れることなく、様々な変更、置換、及び修正をこれに加えることが可能であることを理解されたい。
【符号の説明】
【００５５】
１，１０    電子機器用ケース
２    ケース本体
２１，２１０    かぶせ部
２１１    磁石
２２    第１折り曲げ部
２３    カバー部
２４    第２折り曲げ部
２５    基部
２５１    カメラ用開口部
２５２    磁性体
３    機器収容部
３１    表示装置用開口部
３２    蓋部
４    物品収容部
５    ケーブル保持部
６ａ    第１取り付け部
６ｂ    第２取り付け部
Ｌ１    第１境界線
Ｌ２    第２境界線
Ｌ３    第３境界線
Ｌ４    第４境界線
【図１】
2018114243.tif 000003
【図２】
2018114243.tif 000004
【図３】
2018114243.tif 000005
【図４】
2018114243.tif 000006
【図５】
2018114243.tif 000007
【図６】
2018114243.tif 000008
【図７】
2018114243.tif 000009